(57)【特許請求の範囲】
【請求項１】
光を出射する光源と、
前記光源からの光を透過又は波長を変換する光変換手段と、
前記光変換手段からの光を用いて投射画像を生成する光変調素子と、
外気温度が閾値温度を超えているか否かを判定する外気温度判定手段と、
前記光源から出射された光の出力を制御する制御手段と、を備え、
前記外気温度判定手段が、前記外気温度が閾値温度を超えていると判定した場合に、前記制御手段は、前記光変換手段から視感度特性の高い色が変換される際に前記光源から出射された光の出力を変えずに、前記光変換手段から視感度特性の低い色が変換される際に前記光源から出射された光の出力を下げる
ことを特徴とする画像形成ユニット。
【請求項２】
前記制御手段は、
前記光源から出射された光の出力を制御する第１制御モードと、
前記視感度特性の高い色を変換する際は前記第１制御モードの光の出力から変えずに前記光源を制御し、前記視感度特性の低い色を変換する際は前記第１制御モードの光の出力よりも低い光の出力で前記光源を制御する第２制御モードと、を実行可能であり、
前記外気温度判定手段が、前記外気温度が閾値温度を超えていると判定した場合に、前記制御手段は、前記光源の制御を前記第１制御モードから前記第２制御モードに切り替える
ことを特徴とする請求項１に記載の画像形成ユニット。
【請求項３】
前記視感度特性の高い色は、緑色、黄色、シアン色である
ことを特徴とする請求項１乃至請求項２のいずれか１項に記載の画像形成ユニット。
【請求項４】
前記視感度特性の低い色は、青色、赤色、マゼンダ色である
ことを特徴とする請求項１または請求項３に記載の画像形成ユニット。
【請求項５】
前記制御手段は、
前記光変換手段から青色光が変換される際の前記光源から出射された光の出力は、前記光変換手段から赤色光が変換される際の前記光源から出射された光の出力よりも低い
ことを特徴とする請求項４に記載の画像形成ユニット。
【請求項６】
前記制御手段は、
取得した外気温度が高くなるにしたがって、視感度特性のより低い色から順に前記光源から出射された光の出力を下げ始める
ことを特徴とする請求項１乃至請求項５のいずれか１項に記載の画像形成ユニット。
【請求項７】
前記制御手段は、前記光源の電流を制御することにより、前記光源から出射された光の出力を制御する
ことを特徴とする請求項１乃至請求項６のいずれか１項に記載の画像形成ユニット。
【請求項８】
前記光源の電流を低下させる際、低下量は前記光源の累積使用時間によって変化する
ことを特徴とする請求項７に記載の画像形成ユニット。
【請求項９】
前記光源の電流を低下させる際、低下量は前記光源の光量を検知する光量検知手段の検出値によって変化する
ことを特徴とする請求項７に記載の画像形成ユニット。
【請求項１０】
請求項１乃至請求項９のいずれか１項に記載の画像形成ユニットを備える
ことを特徴とする画像投射装置。
【請求項１１】
光を出射する光源と、前記光源からの光を透過又は波長を変換する光変換手段と、前記光変換手段からの光を用いて投射画像を生成する光変調素子と、外気温度が閾値温度を超えているか否かを判定する外気温度判定手段と、前記光源から出射された光の出力を制御する制御手段と、を備える画像形成ユニットの制御方法であって、
前記外気温度判定手段が、前記外気温度が閾値温度を超えていると判定した場合に、
前記光変換手段から視感度特性の高い色が変換される際に前記光源から出射された光の出力を変えずに、前記光変換手段から視感度特性の低い色が変換される際に前記光源から出射された光の出力を下げる
ことを特徴とする画像形成ユニットの制御方法。
【発明の詳細な説明】
【技術分野】
【０００１】
本発明は、画像形成ユニット、画像投射装置、及び画像形成ユニットの制御方法に関する。
【背景技術】
【０００２】
画像投射装置に使用する各光学部品は、規定の寿命を満たすために一定の温度以下になるように冷却設計をする必要がある。外気温度が変化すると、その影響で画像投射装置内部の温度も変化するので、外気温度に対応して冷却ファンの回転数を制御し、画像投射装置各部の温度が一定の温度以下になるように制御する手法がある。また、特許文献１には、外気温度が閾値を超えたことを検知したとき、光源への供給電圧を下げることで、光学部品の温度上昇を抑制する手法が開示されている。
【０００３】
なお、特許文献２には、光源の状態変化（劣化）を検知したとき、人間の目の視感度の高い緑色の光を、光変調素子で画像に投射する反射時間を長くして光強度を上げ、視感度の低い赤色、青色の光は反射時間を短くして光強度を下げ、投射画像の輝度を維持する内容が開示されている。
【発明の概要】
【発明が解決しようとする課題】
【０００４】
しかしながら、外気温度に対応して冷却ファンの回転数を制御する手法では、冷却ファンが高速回転することによる騒音や、冷却ファンの回転数に限界があるという課題がある。また、特許文献１のように高温時に光源への供給電圧を下げることで、画像投射装置内部の温度上昇を抑制する手法では、投射画像が暗くなり、利用者が投射画像を視認し辛くなるという課題がある。
【０００５】
よって、本発明は、投射画像の明るさの低下を抑制しながら温度上昇を抑制する画像形成ユニット、画像投射装置、及び画像形成ユニットの制御方法を提供することを目的とする。
【課題を解決するための手段】
【０００６】
上記の目的を達成するため、本発明に係る画像形成ユニットは、光を出射する光源と、前記光源からの光を透過又は波長を変換する光変換手段と、前記光変換手段からの光を用いて投射画像を生成する光変調素子と、外気温度が閾値温度を超えているか否かを判定する外気温度判定手段と、前記光源から出射された光の出力を制御する制御手段と、を備え、前記外気温度判定手段が、前記外気温度が閾値温度を超えていると判定した場合に、前記制御手段は、前記光変換手段から視感度特性の高い色が変換される際に前記光源から出射された光の出力を変えずに、前記光変換手段から視感度特性の低い色が変換される際に前記光源から出射された光の出力を下げることを特徴とする。
【発明の効果】
【０００７】
本発明によれば、投射画像の明るさの低下を抑制しながら温度上昇を抑制する画像形成ユニット、画像投射装置、及び画像形成ユニットの制御方法を提供することができる。
【図面の簡単な説明】
【０００８】
【図１】第１実施形態に係るプロジェクタの一例の構成図である。
【図２】波長選択偏光分離素子の特性と、光源スペクトルとの関係を説明するグラフである。
【図３】蛍光体ホイールの一例を示す平面図である。
【図４】カラーホイールの一例を示す平面図である。
【図５】制御装置の機能ブロック図である。
【図６】赤、緑、青、黄の光スペクトルと、視感度特性とを比較するグラフである。
【図７】光源の電流制御の一例を説明するグラフである。
【図８】第１実施形態に係るプロジェクタで行われる光源制御の一例を示すフローチャートである。
【図９】閾値テーブルの一例である。
【図１０】光源の使用時間による光量低下の一例を示すグラフである。
【図１１】第２実施形態に係るプロジェクタにおける光源の電流制御の一例を説明するグラフを示す図である。
【発明を実施するための形態】
【０００９】
本発明を実施するための形態について、以下に説明する。尚、同じ部材等については、同一の符号を付して説明を省略する。
【００１０】
第１実施形態に係るプロジェクタ（画像投射装置）１００の一例について図１を用いて説明する。図１は、第１実施形態に係るプロジェクタ１００の一例の構成図である。
【００１１】
プロジェクタ１００は、光学エンジン部２０と、筐体３０と、制御装置４０と、を備えている。なお、光学エンジン部２０および制御装置４０は、画像形成ユニットを構成する。光学エンジン部２０は、光源１と、レンズ２と、波長選択偏光分離素子３と、1/4波長板４と、レンズ５と、蛍光体ホイール６と、レンズ７と、カラーホイール８と、ライトトンネル９と、レンズ１０と、ミラー１１と、光変調素子１２と、投射レンズ１３と、を備えている。
【００１２】
光源１は、ＬＥＤ（light emitting diode）やＬＤ（laser diode）などの固体光源を用いて構成され、第一の波長の光を出射する。なお、以下の説明において、光源１は青色光のＬＤであるものとして説明する。光源１から出射される光は、第一の偏光方向を持つ直線偏光となっている。光源１から出射した光は、レンズ２を通って、波長選択偏光分離素子３に入射する。
【００１３】
波長選択偏光分離素子３の特性について、図２を用いて説明する。図２は、波長選択偏光分離素子３の特性と、光源１のスペクトルとの関係を説明するグラフである。なお、図２において、横軸は波長を示し、左側の第１縦軸は波長選択偏光分離素子３の透過率を示し、右側の第２縦軸は光源１のスペクトルの光強度を示す２軸グラフである。また、第１縦軸に対応して、Ｓ偏光の透過率を点線で示し、Ｐ偏光の透過率を点線で示している。第２縦軸に対応して、光源１のスペクトルの光強度を実線で示している。
【００１４】
図２に示すように、波長選択偏光分離素子３は、光源１のスペクトルの波長領域において、Ｐ偏光を透過し、Ｓ偏光を反射する特性を有している。このため、第一の直線偏光として射出する光源１の偏光の向きを波長選択偏光分離素子３に対してＰ偏光となるように構成する。これにより、図１に示すように、光源１から波長選択偏光分離素子３に入射した光は、波長選択偏光分離素子３を透過し、1/4波長板４、レンズ５を通り、蛍光体ホイール６に入射する。
【００１５】
図３は、蛍光体ホイール６の一例を示す平面図である。蛍光体ホイール６は、蛍光体セグメント６１，６２と、反射セグメント６３と、を備えている。なお、蛍光体ホイール６は回転しており、光が入射するセグメントが順に切り替わっていく。
【００１６】
蛍光体セグメント６１，６２に入射した光は、第一の波長の光とは波長が異なる第二の波長の光へと変換され、再びレンズ５、1/4波長板４を通り、波長選択偏光分離素子３に入射する。なお、蛍光体セグメント６１は黄色蛍光体を有しており、青色光を黄色の蛍光に変換する。また、蛍光体セグメント６２は緑色蛍光体を有しており、青色光を緑色の蛍光に変換する。ここで、図２に示すように、波長選択偏光分離素子３は、黄色光および緑色光の波長領域において、光を反射する特性を有している。このため、図１に示すように、蛍光体ホイール６の蛍光体セグメント６１，６２から出射した第二の波長の光は、波長選択偏光分離素子３で反射し、レンズ７を通り、カラーホイール８に入射する。
【００１７】
一方、反射セグメント６３に入射した光は、そのまま反射され、再びレンズ５、1/4波長板４を通り、波長選択偏光分離素子３に入射する。ここで、波長選択偏光分離素子３に入射する第一の波長の光は、1/4波長板４を２回透過することで、光源１から出射した光と９０°偏光方向が異なった光となっている。また、図２に示すように、波長選択偏光分離素子３は、光源１のスペクトルの波長領域において、Ｓ偏光を反射する特性を有している。このため、図１に示すように、蛍光体ホイール６の反射セグメント６３で反射した第一の波長の光は、波長選択偏光分離素子３で反射し、レンズ７を通り、カラーホイール８に入射する。
【００１８】
図４は、カラーホイール８の一例を示す平面図である。カラーホイール８は、複数のセグメント８１〜８４を備えている。なお、カラーホイール８は回転しており、カラーホイール８に入射する光の色に対応して、光が入射されるセグメント８１〜８４が変化する。
【００１９】
例えば、蛍光体ホイール６の蛍光体セグメント６１で波長が変換された黄色の蛍光がカラーホイール８に入射する際には、最大限明るさを上げるための透明セグメント８１、または、赤色光を取り出すための赤色ダイクロイックフィルタセグメント８２の時に光が入射する。これにより、カラーホイール８は黄色光または赤色光を出射する。蛍光体ホイール６の蛍光体セグメント６２で波長が変換された緑色の蛍光がカラーホイール８に入射する際には、色の純度を調整するための緑色ダイクロイックフィルタセグメント８３の時に光が入射する。これにより、カラーホイール８は緑色光を出射する。蛍光体ホイール６の反射セグメント６３で反射された第一の波長の光である青色光がカラーホイール８に入射する際には、ＬＤのコヒーレント性を失わせるための拡散板セグメント８４の時に光が入射する。これにより、カラーホイール８は青色光を透過して出射する。
【００２０】
このように、蛍光体ホイール６およびカラーホイール８は、光源１からの光を透過して出射する又は波長を変換して出射する光変換手段を構成し、各セグメントの組み合わせにより、赤色光、緑色光、青色光、黄色光が時分割で出射される。
【００２１】
カラーホイール８を出射した光は、光を均一にするライトトンネル９、レンズ１０、ミラー１１を通り、光変調素子１２に入射する。
【００２２】
光変調素子１２は、カラーホイール８から出射した時分割の光を用いてスクリーンに投射する画像を生成する。光変調素子１２には、ＤＭＤ（digital mirror device）などが用いられる。ＤＭＤは、可動式の複数のマイクロミラーを有し、マイクロミラーの傾きを変化させることにより、光が投射レンズ１３を通り図示しないスクリーンに投射されるオン状態と、投射レンズ１３には光が入射しないオフ状態と、を切り替えることができる。ＤＭＤは、時分割で入射する光の色と画像信号に基づいて、個別にマイクロミラーのオン状態とオフ状態とを切り替えることにより、投射画像（画像光）を生成する。
【００２３】
以上、第１実施形態に係るプロジェクタ１００が備える光学エンジン部２０として、ＬＤ（光源１）、蛍光体ホイール６、カラーホイール８を用いる光学系を例に説明したが、その他の光学系を用いてもよい。また、光源１から出射された光の波長を変換する光変換手段として、蛍光体ホイール６およびカラーホイール８を備えるものとして説明したが、いずれか一方のみで構成されていてもよい。
【００２４】
また、プロジェクタ１００は、これらの光学エンジン部２０を保護する筐体３０を有している。筐体３０には、光学エンジン部２０を冷却するために外気を取り込む吸気口３１と、筐体３０の内部空気を排気する排気口３２とが設けられ、吸気口３１に配置された冷却ファン３３と、排気口３２に配置された冷却ファン３４と、を有している。また、プロジェクタ１００は、吸気口３１から筐体３０内に吸引される外気の温度を検出する外気温度センサ３５を有している。なお、外気温度センサ３５は、通常は吸気用の冷却ファン３３の近くに配置されている。
【００２５】
制御装置４０は、プロジェクタ１００の各部の動作を制御する。図５は、制御装置４０の機能ブロック図である。なお、図５に図示される各機能ブロックは概念的なものであり、必ずしも物理的に図示の如く構成されていることを要しない。各機能ブロックの全部または一部を、任意の単位で機能的または物理的に分散・統合して構成することが可能である。各機能ブロックにて行われる各処理機能は、その全部または任意の一部が、ＣＰＵにて実行されるプログラムにて実現され、あるいは、ＡＳＩＣ、ＦＰＧＡなどワイヤードロジックによるハードウェアとして実現されうる。
【００２６】
制御装置４０は、制御部４１と、光源制御部４２と、光変調素子制御部４３と、外気温度センサ制御部４４と、冷却ファン制御部４５と、記憶部４６と、外気温度判定部４７と、を備えている。
【００２７】
制御部４１は、ＰＣなどから入力される画像信号に基づいて画像を生成すべく、プロジェクタ１００の各部の動作を制御する。
【００２８】
光源制御部４２は、制御部４１の制御の下、光源１から出射された光の出力（光出力）を制御する。なお、光源１から出射された光の出力を制御する方法は、例えば、光源１に供給する電圧を一定にして電流を制御することにより光源１から出射された光の出力を制御する。また、電圧制御であってもよく、電力制御であってもよい。また、光源１が複数の光源素子からなるアレイ光源である場合、点灯する光源素子の個数の制御であってもよい。
【００２９】
光変調素子制御部４３は、制御部４１の制御の下、光変調素子１２を駆動制御する。光変調素子制御部４３によって、色ごとに光変調素子１２で画像を形成し、それを投射レンズ１３でスクリーンに投射することで画像が作られる。
【００３０】
外気温度センサ制御部４４は、外気温度センサ３５を制御して外気温度を検出する。なお、制御部４１は、外気温度センサ３５で検出した外気温度に基づいて、プロジェクタ１００の各部の動作を制御する。
【００３１】
冷却ファン制御部４５は、制御部４１の制御の下、外気温度センサ３５で検出した外気温度や光源１の出力に基づいて、冷却ファン３３，３４の回転数を制御する。
【００３２】
記憶部４６は、制御に用いる各種の閾値等が記憶されている。
【００３３】
外気温度判定部４７は、外気温度センサ制御部４４で取得した外気温度と、記憶部４６に記憶されている閾値温度と、に基づいて、外気温度が閾値温度を超えているか否かを判定する。なお、制御部４１は、外気温度判定部４７の判定結果に基づいて、プロジェクタ１００の各部の動作を制御する。
【００３４】
ここで、プロジェクタ１００で画像の投射を続けると、光の吸収や自己発熱等によって光学エンジン部２０の温度が上昇するため、冷却ファン３３，３４により外気を取り込んで光学エンジン部２０を冷却するように構成されている。一方、外気温度が上昇した場合、冷却ファン３３，３４の回転数をより高くすることにより光学エンジン部２０を冷却する手法では、騒音が大きくなってしまう、冷却ファン３３，３４の回転数に限界があるという課題がある。
【００３５】
このような課題に対し、第１実施形態に係るプロジェクタ１００は、外気温度が所定温度以上となったと判定した場合、光源１から出射された光の出力を制御することにより、光学エンジン部２０の発熱量を抑制する。
【００３６】
光変換手段（蛍光体ホイール６、カラーホイール８）により変換され、時分割で出射される赤色光、緑色光、青色光、黄色光のスペクトルと、視感度特性との関係について説明する。図６は、赤、緑、青、黄の光スペクトルと、視感度特性とを比較するグラフである。なお、図６において、横軸は波長を示し、左側の第１縦軸は各色の光スペクトルの光強度を示し、右側の第２縦軸は視感度を示す２軸グラフである。また、第１縦軸に対応して、赤色光スペクトルの光強度を点線で示し、緑色光スペクトルの光強度を二点鎖線で示し、青色光スペクトルの光強度を一点鎖線で示し、黄色光スペクトルの光強度を破線で示している。第２縦軸に対応して、視感度を実線で示している。
【００３７】
視感度特性とは、人間が明るく感じる特性のことである。図６に示すように、人間は５５０ｎｍ付近のスペクトルを有する光を明るく感じ、７００ｎｍより長波長の光はほとんど認識できないことが分かる。
【００３８】
また、視感度特性と各色のスペクトルを比較すると、緑色光、黄色光の中心波長は５５０ｎｍ付近となっており、視感度特性と近いため明るく感じやすいということが分かる。これらの色の光量を落とすと、人間の眼にも暗くなるのがすぐ認識される。
【００３９】
一方、青色光、赤色光の中心波長はそれぞれ４５５ｎｍ、６２０ｎｍとなっており、視感度特性の中心波長とは大きく異なっている。そのため、これらの色はエネルギー量（W）として高くても、人間には明るくは感じられない。
【００４０】
即ち、光変換手段により変換され出射される赤色光、緑色光、青色光、黄色光のうち、緑色光および黄色光が視感度特性の高い色の光に該当し、赤色光および青色光が視感度特性の低い色の光に該当する。また、図示は省略するが、マゼンダ色光は視感度特性の低い色の光に該当し、シアン色光は視感度特性の高い色の光に該当する。
【００４１】
このため、第１実施形態に係るプロジェクタ１００では、外気温度が高温時において、視感度特性の低い色の光の投射光量が低くなるように光源１から出射された光の出力を下げる制御をする。これにより、人間が感じる明るさは大きく低下させずに、光源１から放射される光のエネルギー量（Ｗ）を減らして、光学エンジン部２０の発熱量を小さくすることができる。また、青色光と赤色光を比較すると青色光のほうが視感度特性とずれているため、視感度特性のより低い青色光の投射光量が低くなるように光源１から出射された光の出力を下げる制御をする。これにより、より明るさを変えずにエネルギー量だけを低下させて発熱量を小さくすることができる。
【００４２】
図７は、光源１の電流制御の一例を説明するグラフである。なお、図７の説明において、光源１から出射された光の出力制御として電流制御を行う場合を例に説明する。また、横軸は時間を示し、縦軸は光源１の電流制御を示す。
【００４３】
第１実施形態に係るプロジェクタ１００は時分割で色を作るので、時間の経過に伴い、投射される光の色は、赤色光Ｒ、緑色光Ｇ、青色光Ｂ、黄色光Ｙの各色が順番に切り替わる。
【００４４】
外気温度が常温時（例えば、２５℃くらい）の場合、第１制御モードで光源１の電流制御を行う。第１制御モードでは、投射する色によらず、換言すれば、光源１から出射した光が光変換手段により何色の光に変換されるタイミングかによらず、光源１を常に同じ電流で駆動させる。
【００４５】
これに対し、外気温度が高温時（例えば、４０℃や５０℃くらい）の場合、投射する色によって光源１の電流を変更する第２制御モードで光源１の電流制御を行う。第２制御モードでは、視感度特性の低い青色光の投射光量が大きく低下するように、光源１から出射した光が光変換手段により青色光となるタイミングで、光源１に供給する電流を常温時よりも下げる制御を行う。また、青色光の次に視感度特性の低い赤色光についても、赤色光の投射光量が低下するように、光源１から出射した光が光変換手段により赤色光となるタイミングで光源１に供給する電流を常温時よりも下げる制御を行う。一方、高温時においても、視感度特性の高い緑色光や黄色光については、光源１に供給する電流を常温時から変化させないことで、プロジェクタ１００全体の投射光量はあまり変化しないようにしている。
【００４６】
図８は、第１実施形態に係るプロジェクタ１００で行われる光源制御の一例を示すフローチャートである。
【００４７】
利用者がプロジェクタ１００を起動すると、起動に伴って制御部４１は処理を開始する。
【００４８】
ステップＳ１において、制御部４１は、記憶部４６から冷却制御条件を取得する。この冷却制御条件は、出荷時等に記憶部４６に初期値として予め記憶する構成とすることもできるし、利用者が図示しない操作部によって任意に設定できる構成とすることもできる。第１実施形態では、外気温度に応じで光源１から出射された光の出力を変化させる閾値が設定されている。
【００４９】
ステップＳ２において、外気温度センサ制御部４４は、外気温度センサ３５を動作させて外気温度を測定する。この外気温度測定は、プロジェクタ１００の動作中は常に実施される。測定された外気温度は外気温度判定部４７に送られる。
【００５０】
ステップＳ３において、外気温度判定部４７は、ステップＳ２で測定した外気温度が閾値を超えたか否かを判定する。外気温度が閾値を超えていない場合（ステップＳ３・Ｎｏ）、ステップＳ２に戻り、外気温度の測定を継続する。外気温度が閾値を超えた場合（ステップＳ３・Ｙｅｓ）、ステップＳ４に進む。
【００５１】
ステップＳ４において、制御部４１は、光源１の制御を第１制御モードから第２制御モードに変更する。光源制御部４２は、変更された制御モードにしたがって光源１から出射された光の出力を制御する。
【００５２】
視感度特性の低い色が投射されるタイミングで光源１の電流を下げることにより、光源１の発熱量が低下する。また、光源１から出射された光の出力も低下するので、光が照射されていた各光学部品の発熱量も低下する。これにより、光学エンジン部２０の発熱を抑制し、冷却ファン３３，３４により光学エンジン部２０の温度を下げることができる。また、視感度の低い色の投射光量は低下するが、視感度の高い色の投射光量は維持されているので、プロジェクタ１００の使用者が感じる明るさの低下は最小限に抑えられる。
【００５３】
ステップＳ５において、制御部４１は、プロジェクタ１００の投射が終了したか否かを判定する。投射が終了した場合（ステップＳ５・Ｙｅｓ）、処理は終了する。投射が終了していない場合（ステップＳ５・Ｎｏ）、ステップＳ２に戻り、外気温度の測定と光源１の制御を継続する。
【００５４】
また、上記処理に加えて、ステップＳ２において測定した外気温度が閾値以下となった場合、元の光源１の制御に戻す、即ち、光源１の制御を第２制御モードから第１制御モードに変更する処理を行うようにしてもよい。
【００５５】
また、閾値を複数有し、超えた閾値の程度に応じて光源１の制御を変更することも可能である。図９は、閾値テーブルの一例である。例えば、外気温度が２５℃の場合、投射する色によらず、光源１を同じ出力で制御している。外気温度が３０℃を超えると、視感度特性の低い光の出力を低減して発熱量を低下させる。ここで、赤色光と青色光では、より視感度特性の低い青色光から先に出力の低下を開始する。そして、外気温度が上昇するのに伴って、青色光の出力もさらに低下させている。外気温度がさらに上昇して４０℃を超えると、青色光の次に視感度特性の低い赤色光の出力の低減を開始する。これにより、人間が感じる色味の変化や明るさの変化を抑えつつ、発熱量を減らすことができる。
【００５６】
以上、第１実施形態に係るプロジェクタ１００によれば、外気温度が高温時において、利用者が視認する投射画像の明るさの変化や色味の変化を抑えつつ、光学エンジン部２０の発熱量を低減することができる。これにより、冷却ファン３３，３４の回転数増加を抑え、冷却ファン３３，３４が高速回転することによる騒音を低減することができる。
【００５７】
次に、第２実施形態に係るプロジェクタの一例について説明する。
【００５８】
図１０は、光源の使用時間による光量低下の一例を示すグラフである。なお、横軸は光源の点灯時間を示し、縦軸は点灯開始時の光源の明るさを基準とした光源の明るさ比である。光源１は、点灯時間に応じてその光量は初期値から低下していく。一般的に固体光源の明るさは、２０，０００ｈ後には初期値の５０％となるように設計されている。そのため、点灯初期では光源１の光量が高く、光が照射される各光学部品の温度が定格温度近くまで高くなる構成となっていても、時間の経過により光源１の光量が低下するため、各光学部品の温度に余裕が生じることとなる。
【００５９】
図１１は、第２実施形態に係るプロジェクタにおける光源１の電流制御の一例を説明するグラフを示す。点灯時間が短く光源１の光量が高い時は、外気温度が閾値以上となる高温時の場合において、前述のとおりに、投射する色によって光源１の電流を変更する第２制御モードで光源１の電流制御を行う。
【００６０】
光源１の点灯時間が長くなるに連れて、視感度特性の低い色の電流を低下する際の低下量を少なくしている。この一例を図１１において一点鎖線で示す。また、点灯時間がさらに長くなり、ある閾値時間を超えた場合、外気温度が閾値以上となっても、電流を低下させないようにしてもよい。これにより、光源１の点灯時間による光量低下を加味して光学エンジン部２０の発熱を抑えつつ、常温時と高温時の投射画像の明るさの変化や色味の変化をさらに抑えることができる。
【００６１】
この構成において、制御装置４０は、光源１の累積使用時間をカウントする機能を有しており、カウントされた累積使用時間によって、電流の低下量を変化させるようにしてもよい。また、プロジェクタ１００は光源１の光量を検知する光量センサ（光量検知手段）を備えており、制御装置４０は、光量センサの検出値によって電流の低下量を変化させるようにしてもよい。
【００６２】
以上、プロジェクタ１００の実施形態等について説明したが、本発明は上記実施形態等に限定されるものではなく、特許請求の範囲に記載された本発明の要旨の範囲内において、種々の変形、改良が可能である。
【符号の説明】
【００６３】
１００      プロジェクタ（画像投射装置の一例）
２０        光学エンジン部
１          光源
２，５，７，１０  レンズ
３          波長選択偏光分離素子
４          1/4波長板
６          蛍光体ホイール（光変換手段の一例）
８          カラーホイール（光変換手段の一例）
９          ライトトンネル
１１        ミラー
１２        光変調素子
１３        投射レンズ
３０        筐体
３１        吸気口
３２        排気口
３３，３４  冷却ファン
３５        外気温度センサ
４０        制御装置
４１        制御部（制御手段の一例）
４２        光源制御部
４３        光変調素子制御部
４４        外気温度センサ制御部
４５        冷却ファン制御部
４６        記憶部
４７        外気温度判定部（外気温度判定手段の一例）
【先行技術文献】
【特許文献】
【００６４】
【特許文献１】特開２０１７−１３４１１２号公報
【特許文献２】特開２０１７−１４６４３３号公報
【図１】
0006988613.tif 000002
【図２】
0006988613.tif 000003
【図３】
0006988613.tif 000004
【図４】
0006988613.tif 000005
【図５】
0006988613.tif 000006
【図６】
0006988613.tif 000007
【図７】
0006988613.tif 000008
【図８】
0006988613.tif 000009
【図９】
0006988613.tif 000010
【図１０】
0006988613.tif 000011
【図１１】
0006988613.tif 000012